(57)【要約】【課題】ＩＥＥＥ８０２．１６を適用した高速無線アクセスシステムについて、中継回線の変調速度を考慮して、中継局が自ら判断して中継経路を選択する中継局の接続先選択方法、中継局及びプログラムを提供する。【解決手段】第１の中継局は、基地局（又は親中継局）に対してネットワークエントリをした後で、基地局（又は親中継局）−第１の中継局間の中継回線情報をブロードキャストする。次に、第２の中継局は、基地局及び／又は複数の第１の中継局から中継回線情報を受信する。そして、第２の中継局は、変調速度が最大となる中継回線情報を有する基地局又は第１の中継局に対してネットワークエントリをする。【選択図】図２
2008066827.tif 000002
【特許請求の範囲】
【請求項１】
ＩＥＥＥ８０２．１６を適用した基地局と移動局とが、１つ以上の中継局を介して通信するシステムにおける中継局の接続先選択方法であって、
第１の中継局は、基地局又は親中継局に対してネットワークエントリをした後で、基地局又は親中継局−第１の中継局間の第１の中継回線情報をブロードキャストする第１のステップと、
第２の中継局は、基地局及び／又は複数の第１の中継局から第１の中継回線情報を受信する第２のステップと、
第２の中継局は、変調速度が最大となる第１の中継回線情報を有する基地局又は第１の中継局に対してネットワークエントリをする第３のステップと
を有することを特徴とする中継局の接続先選択方法。
【請求項２】
第１の中継回線情報は、Burst Profileを表すDIUC(Downlink Interval Usage Code)値を含むDCD(Downlink Channel Descriptor)と、UIUC(Uplink Interval Usage Code)値を含むUCD(Uplink Channel Descriptor)とであることを特徴とする請求項１に記載の中継局の接続先選択方法。
【請求項３】
第２の中継局は、第１の中継回線情報と、第１の中継局−第２の中継局間の第２の中継回線情報とを比較し、
両中継回線が同時に利用可能である場合、
想定Burst Profile＝
ｍｉｎ（第１の中継回線の変調速度，第２の中継回線の変調速度）
両中継回線が同時に利用可能でない場合、
想定Burst Profile＝（第１の中継回線の変調速度×第２の中継回線の変調速度）／
（第１の中継回線の変調速度＋第２の中継回線の変調速度）
として、想定Burst Profileが最大となるように基地局又は第１の中継局を選択することを特徴とする請求項２に記載の中継局の接続先選択方法。
【請求項４】
ＩＥＥＥ８０２．１６を適用した基地局と移動局との間で通信を中継する中継局であって、
基地局又は親中継局に対してネットワークエントリをするネットワークエントリ処理手段と、
基地局又は親中継局−第１の中継局間の中継回線情報をブロードキャストする中継回線情報送信手段と、
基地局及び／又は複数の第１の中継局から中継回線情報を受信する中継回線情報受信手段と、
変調速度が最大となる中継回線情報を有する基地局又は第１の中継局を決定する接続先選択手段と
を有し、前記接続先選択手段によって選択された基地局又は親中継局に対して、前記ネットワークエントリ処理手段がネットワークエントリをするように制御することを特徴とする中継局。
【請求項５】
前記中継回線情報は、Burst Profileを表すDIUC値を含むDCDと、UIUC値を含むUCDとであることを特徴とする請求項４に記載の中継局。
【請求項６】
前記接続先選択手段は、第１の中継回線情報と、第１の中継局−第２の中継局間の第２の中継回線情報とを比較し、
両中継回線が同時に利用可能である場合、
想定Burst Profile＝
ｍｉｎ（第１の中継回線の変調速度，第２の中継回線の変調速度）
両中継回線が同時に利用可能でない場合、
想定Burst Profile＝（第１の中継回線の変調速度×第２の中継回線の変調速度）／
（第１の中継回線の変調速度＋第２の中継回線の変調速度）
として、想定Burst Profileが最大となるように基地局又は第１の中継局を選択することを特徴とする請求項５に記載の中継局。
【請求項７】
ＩＥＥＥ８０２．１６を適用した基地局と移動局との間で通信を中継する中継局に搭載されたコンピュータを機能させるプログラムであって、
基地局又は親中継局に対してネットワークエントリをするネットワークエントリ処理手段と、
基地局又は親中継局−第１の中継局間の中継回線情報をブロードキャストする中継回線情報送信手段と、
基地局及び／又は複数の第１の中継局から中継回線情報を受信する中継回線情報受信手段と、
変調速度が最大となる中継回線情報を有する基地局又は第１の中継局を決定する接続先選択手段と
を有し、前記接続先選択手段によって選択された基地局又は親中継局に対して、前記ネットワークエントリ処理手段がネットワークエントリをすべく制御するようにコンピュータを機能させることを特徴とする中継局用プログラム。
【請求項８】
前記中継回線情報は、Burst Profileを表すDIUC値を含むDCDと、UIUC値を含むUCDとであることを特徴とする請求項７に記載の中継局用プログラム。
【請求項９】
前記接続先選択手段は、第１の中継回線情報と、第１の中継局−第２の中継局間の第２の中継回線情報とを比較し、
両中継回線が同時に利用可能である場合、
想定Burst Profile＝
ｍｉｎ（第１の中継回線の変調速度，第２の中継回線の変調速度）
両中継回線が同時に利用可能でない場合、
想定Burst Profile＝（第１の中継回線の変調速度×第２の中継回線の変調速度）／
（第１の中継回線の変調速度＋第２の中継回線の変調速度）
として、想定Burst Profileが最大となるように基地局又は第１の中継局を選択するようにコンピュータを機能させることを特徴とする請求項８に記載の中継局用プログラム。
【発明の詳細な説明】
【技術分野】
【０００１】
本発明は、ＩＥＥＥ８０２．１６を適用した中継局の接続先選択方法、中継局及びプログラムに関する。
【背景技術】
【０００２】
ＩＥＥＥ８０２．１６は、ＢＷＡ(Broadband Wireless Access)サービスを提供可能な高速無線アクセスシステムの標準規格である。現在、ＩＥＥＥ８０２．１６標準化会合では、データを中継することによってカバレッジ範囲を拡大するＭＭＲ(Mobile Multihop Relay)技術に関し、メディアアクセス制御(Medium Access Control)及び物理層を規定するための検討が開始されている。このＭＭＲ技術によれば、基地局ＢＳ(Base Station)は、その基地局ＢＳ圏内の固定局ＳＳ(Subscriber Station)又は移動局ＭＳ(Mobile Subscriber Station)と通信をすると共に、基地局ＢＳ圏内の中継局ＲＳ(Relay Station)を介して、基地局ＢＳ圏外の固定局ＳＳ又は移動局ＭＳとも通信をすることができる。
【０００３】
ＩＥＥＥ８０２．１６の高速無線アクセスシステムは、基本的に、固定局ＳＳ向けＢＷＡサービスの提供を目的とした標準規格である（例えば非特許文献１参照、ＩＥＥＥ８０２．１６−２００４）。ここでは、ＰＭＰ(Point-to-Multipoint)及びＭｅｓｈの２つのネットワークトポロジが規定されている。ＰＭＰは、一般的なセルラシステムと同様、基本的に「ＢＳ：ＳＳ＝１：多」でネットワークを構成する。一方、Ｍｅｓｈは、固定局ＳＳ同士をマルチホップでネットワークを構成する。
【０００４】
非特許文献１によれば、カバレッジ範囲の拡大を目的とする中継機能については全く考慮されていない。電力増幅の中継を行う場合、中継局ＲＳは、中継局ＲＳ−固定局ＳＳ間の通信状態によって決定された、所望Burst Profile（変調方式やコードレートの情報）を単に増幅して転送する。従って、基地局ＢＳ−中継局ＲＳ間の通信状態が考慮されず、結果的に基地局ＢＳ−中継局ＲＳ−固定局ＳＳ間の整合が取れない。
【０００５】
また、ＩＥＥＥ８０２．１６−２００４標準規格のＭｅｓｈトポロジを用いてカバレッジ範囲拡大を図ることはできる。しかし、Ｍｅｓｈはオプション扱いであって、フレーム構成についてＰＭＰと互換性が無い。また、ＰＭＰと比較して、フレームのオーバヘッドが多く、スループットに影響する。複信方式は、ＴＤＤ(Time Division Duplex)しかサポートしていない。
【０００６】
更に、ＩＥＥＥ８０２．１６−２００４を、移動局ＭＳ向けＢＷＡサービス提供を目的として修正した高速無線システムの標準規格もある（例えば非特許文献２参照、ＩＥＥＥ８０２．１６ｅ−２００５）。変調方式としては、シングルキャリア、ＯＦＤＭ(Orthogonal Frequency Division Multiplexing)、ＯＦＤＭＡ(Orthogonal Frequency Division Multiple Access)方式が採用されている。ネットワークトポロジとしては、ＰＭＰのみが規定されている。
【０００７】
図１は、従来技術におけるシステム構成図である。
【０００８】
移動局ＭＳは、移動しながら、接続すべき基地局ＢＳを切り替える（ハンドオーバ）ことができる。図１によれば、対象となる移動局ＭＳ３は、３つの基地局ＢＳのカバレッジ範囲が重畳する位置に存在する。このとき、移動局ＭＳ３は、所望ＱｏＳ(Quality of Service)を満足する基地局ＢＳにハンドオーバすべきである。所望ＱｏＳとしては、例えば所望トラヒックレートがある。
【０００９】
基地局ＢＳを選択する判定要素として、基地局ＢＳの利用可能無線リソースＡＲＲ(Available radio resource)を用いることができる。利用可能無線リソースＡＲＲは、フレーム当たりの平均利用可能サブチャネル及びシンボルのリソースの割合をいう。全ての基地局ＢＳのＡＲＲは、ネットワーク制御管理装置ＮＣＭＳ(Network Control Management System)４によって管理される。ＮＣＭＳ３は、移動局ＭＳがハンドオーバする際に、所望ＱｏＳを満足するような利用可能無線リソースＡＲＲを有する基地局ＢＳに接続するように制御する。
【００１０】
【非特許文献１】IEEE Std 802.16-2004、IEEEStandard for Local and metropolitan area networks, Part 16 : Air Interface forFixed Broadband Wireless Access Systems
【非特許文献２】IEEE Std 802.16e-2005、IEEEStandard for Local and metropolitan area networks, Part 16 : Air Interface forFixed and Mobile Broadband Wireless Access Systems, Amendment 2:Physical andMedium Access Control Layers for Combined Fixed and Mobile Operation inLicensed Bands and Corrigendum 1
【発明の開示】
【発明が解決しようとする課題】
【００１１】
しかしながら、ネットワーク制御管理装置ＮＣＭＳは、基地局ＢＳの利用可能無線リソースＡＲＲを管理するものであって、ＩＥＥＥ８０２．１６を適用したシステムにおける中継局ＲＳの経路選択については明らかではない。基地局ＢＳの利用可能無線リソースＡＲＲに余裕があっても、中継回線（基地局又は親中継局−中継局間）の容量が小さければ、移動局の所望ＱｏＳが満足されない場合も生じる。
【００１２】
そこで、本発明は、ＩＥＥＥ８０２．１６を適用した高速無線アクセスシステムについて、中継回線の変調速度を考慮して、中継局が自ら判断して中継経路を選択する中継局の接続先選択方法、中継局及びプログラムを提供することを目的とする。
【課題を解決するための手段】
【００１３】
本発明によれば、ＩＥＥＥ８０２．１６を適用した基地局と移動局とが、１つ以上の中継局を介して通信するシステムにおける中継局の接続先選択方法であって、
第１の中継局は、基地局又は親中継局に対してネットワークエントリをした後で、基地局又は親中継局−第１の中継局間の第１の中継回線情報をブロードキャストする第１のステップと、
第２の中継局は、基地局及び／又は複数の第１の中継局から第１の中継回線情報を受信する第２のステップと、
第２の中継局は、変調速度が最大となる第１の中継回線情報を有する基地局又は第１の中継局に対してネットワークエントリをする第３のステップと
を有することを特徴とする。
【００１４】
本発明の中継局の接続先選択方法における他の実施形態によれば、第１の中継回線情報は、Burst Profileを表すDIUC(Downlink Interval Usage Code)値を含むDCD(Downlink Channel Descriptor)と、UIUC(Uplink Interval Usage Code)値を含むUCD(Uplink Channel Descriptor)とであることも好ましい。
【００１５】
本発明の中継局の接続先選択方法における他の実施形態によれば、
第２の中継局は、第１の中継回線情報と、第１の中継局−第２の中継局間の第２の中継回線情報とを比較し、
両中継回線が同時に利用可能である場合、
想定Burst Profile＝
ｍｉｎ（第１の中継回線の変調速度，第２の中継回線の変調速度）
両中継回線が同時に利用可能でない場合、
想定Burst Profile＝（第１の中継回線の変調速度×第２の中継回線の変調速度）／
（第１の中継回線の変調速度＋第２の中継回線の変調速度）
として、想定Burst Profileが最大となるように基地局又は第１の中継局を選択することも好ましい。
【００１６】
本発明によれば、ＩＥＥＥ８０２．１６を適用した基地局と移動局との間で通信を中継する中継局であって、
基地局又は親中継局に対してネットワークエントリをするネットワークエントリ処理手段と、
基地局又は親中継局−第１の中継局間の中継回線情報をブロードキャストする中継回線情報送信手段と、
基地局及び／又は複数の第１の中継局から中継回線情報を受信する中継回線情報受信手段と、
変調速度が最大となる中継回線情報を有する基地局又は第１の中継局を決定する接続先選択手段と
を有し、接続先選択手段によって選択された基地局又は親中継局に対して、ネットワークエントリ処理手段がネットワークエントリをすべく制御することを特徴とする。
【００１７】
本発明の中継局における他の実施形態によれば、中継回線情報は、Burst Profileを表すDIUC値を含むDCDと、UIUC値を含むUCDとであることも好ましい。
【００１８】
本発明の中継局における他の実施形態によれば、
接続先選択手段は、第１の中継回線情報と、第１の中継局−第２の中継局間の第２の中継回線情報とを比較し、
両中継回線が同時に利用可能である場合、
想定Burst Profile＝
ｍｉｎ（第１の中継回線の変調速度，第２の中継回線の変調速度）
両中継回線が同時に利用可能でない場合、
想定Burst Profile＝（第１の中継回線の変調速度×第２の中継回線の変調速度）／
（第１の中継回線の変調速度＋第２の中継回線の変調速度）
として、想定Burst Profileが最大となるように基地局又は第１の中継局を選択することも好ましい。
【００１９】
本発明によれば、ＩＥＥＥ８０２．１６を適用した基地局と移動局との間で通信を中継する中継局に搭載されたコンピュータを機能させるプログラムであって、
基地局又は親中継局に対してネットワークエントリをするネットワークエントリ処理手段と、
基地局又は親中継局−第１の中継局間の中継回線情報をブロードキャストする中継回線情報送信手段と、
基地局及び／又は複数の第１の中継局から中継回線情報を受信する中継回線情報受信手段と、
変調速度が最大となる中継回線情報を有する基地局又は第１の中継局を決定する接続先選択手段と
を有し、接続先選択手段によって選択された基地局又は親中継局に対して、ネットワークエントリ処理手段がネットワークエントリをすべく制御するようにコンピュータを機能させることを特徴とする。
【００２０】
本発明の中継局用プログラムにおける他の実施形態によれば、中継回線情報は、Burst Profileを表すDIUC値を含むDCDと、UIUC値を含むUCDとであることも好ましい。
【００２１】
本発明の中継局用プログラムにおける他の実施形態によれば、
接続先選択手段は、第１の中継回線情報と、第１の中継局−第２の中継局間の第２の中継回線情報とを比較し、
両中継回線が同時に利用可能である場合、
想定Burst Profile＝
ｍｉｎ（第１の中継回線の変調速度，第２の中継回線の変調速度）
両中継回線が同時に利用可能でない場合、
想定Burst Profile＝（第１の中継回線の変調速度×第２の中継回線の変調速度）／
（第１の中継回線の変調速度＋第２の中継回線の変調速度）
として、想定Burst Profileが最大となるように基地局又は第１の中継局を選択するようにコンピュータを機能させることも好ましい。
【発明の効果】
【００２２】
本発明の中継局の接続先選択方法、中継局及びプログラムによれば、ＩＥＥＥ８０２．１６を適用した高速無線アクセスシステムについて、中継回線の変調速度を考慮して、中継局が自ら判断して中継経路を選択することができる。
【発明を実施するための最良の形態】
【００２３】
以下では、図面を用いて、本発明を実施するための最良の形態について詳細に説明する。
【００２４】
図２は、本発明におけるシステム構成図である。
【００２５】
図２によれば、図１と比較して、１つの基地局ＢＳの配下に、２つの中継局ＲＳ１及びＲＳ２が存在している。基地局ＢＳには、ネットワーク制御管理装置ＮＣＭＳが接続されている。中継局ＲＳ２に接続された移動局ＭＳ２−１及びＭＳ２−２は、基地局ＢＳと通信するために、以下の２つの経路を有する。
（経路１）中継局ＲＳ２＜−＞基地局ＢＳ
（経路２）中継局ＲＳ２＜−＞中継局ＲＳ１＜−＞基地局ＢＳ
【００２６】
このとき、中継局ＲＳ２−基地局ＢＳ間の変調速度が、中継ＲＳ２−中継ＲＳ１−基地局ＢＳ間の変調速度よりも大きい場合もあるし、その逆の場合もある。本発明によれば、中継局ＲＳ２は、変調速度の大きい経路を介して基地局ＢＳに接続するように制御する。尚、図２について、当該中継局から見て、基地局が親中継局であってもよいし、移動局が子中継局であってもよい。即ち、本発明は、複数の中継局を介した複数ホップにも対応する。
【００２７】
局間の中継回線情報は、変調速度[bits/symbol]によって表すことができる。図２によれば、局間の変調速度は、以下のように表されている。
ＲA[bits/symbol]：基地局ＢＳ−中継局ＲＳ１間の変調速度
ＲB[bits/symbol]：基地局ＢＳ−中継局ＲＳ２間の変調速度
ＲC[bits/symbol]：中継局ＲＳ１−中継局ＲＳ２間の変調速度
【００２８】
図３は、本発明におけるシーケンス図である。尚、実線の矢印のメッセージは、非特許文献２に既に規定されたメッセージを表す。点線の矢印のメッセージは、中継局ＲＳを介して本発明を実現するために、非特許文献２に既に規定されたものに加えて新たに追加したメッセージを表す。
【００２９】
（Ｓ３０１）最初に、基地局ＢＳは、下り回線情報及び上り回線情報を定期的にブロードキャストする。下り回線情報は、DL-MAP及びDCD等を含み、上り回線情報は、UL-MAP及びUCD等を含む。
【００３０】
以下は、DCDメッセージフォーマットを表す。
DCD_Message_Format() {      
Management Message Type=1                       (8 bits)
Reserved                                        (8 bits)
Configuration Change Count                      (8 bits)
TLV Encoded information for the overall channel (variable)
Begin PHY Specific Section {
for (i=0; i<=n; i++) {
Downlink_Burst_Profile                  (PHY specific)
}
}
}
【００３１】
表１は、DCDのTLV Encoded information for the overall channelに含まれる情報を表す。
【表１】
2008066827.tif 000003
【００３２】
# of hopsは、中継回線（基地局又は親中継局−中継局間）のホップ数を表す。DIUCs of relay linksは、基地局ＢＳから見てホップ順に表された、当該中継回線のDIUCを表す。図２によれば、基地局ＢＳによってブロードキャストされるDCDは、表１の情報を含まないものであってもよいし、# of hops＝0となる表１の情報を含むものであってもよい。中継局ＲＳは、受信したDCDに表１の情報が含まれていなければ、基地局ＢＳからのDCDと判断することができる。また、受信したDCDに表１の情報が含まれているが、# of hops＝0と記述されていれば、基地局ＢＳからのDCDと判断することができる。
【００３３】
以下は、UCDメッセージフォーマットを表す。
UCD_Message_Format() {
Management Message Type=0                    (8 bits)
Configuration Change Count                   (8 bits)
Ranging Backoff Start                        (8 bits)
Ranging Backoff End                          (8 bits)
Request Backoff Start                        (8 bits)
Request Backoff End                          (8 bits)
TLV Encoded information for the overall channel (variable)
Begin PHY Specific Section {
for (i=0; i<=n; i++) {
Uplink_Burst_Profile                  (variable)
}
}
}
【００３４】
表２は、UCDのTLV Encoded information for the overall channelに含まれる情報を表す。
【表２】
2008066827.tif 000004
【００３５】
UIUCs of relay linksは、基地局ＢＳから見てホップ順に表された、当該中継回線のUIUCを表す。図２によれば、基地局ＢＳによってブロードキャストされるUCDは、表２の情報を含まないものであってもよいし、# of hops＝0となる表２の情報を含むものであってもよい。中継局ＲＳは、受信したUCDに表２の情報が含まれていなければ、基地局ＢＳからのUCDと判断することができる。また、受信したUCDに表２の情報が含まれているが、# of hops＝0と記述されていれば、基地局ＢＳからのUCDと判断することができる。
【００３６】
（Ｓ３０２）基地局ＢＳからの回線情報を受信した中継局ＲＳ１は、基地局ＢＳへRNG-REQ(Ranging Request)を送信し、それに対して基地局ＢＳからRNG-RSP(Ranging Response)を受信する。また、中継局ＲＳ１は、基地局ＢＳへSBC-REQ(SS Basic Capability Request)を送信し、それに対して基地局ＢＳからSBC-RSP(SS Basic Capability Response)を受信する。
【００３７】
（Ｓ３０３）次に、中継局ＲＳ１は、REG-REQ(Registration Request)を基地局ＢＳへ送信する。REG-REQは、以下の情報を有する。
REG-REQ_Message_Format() {
Management Message Type=6      (8 bits)
TLV Encoded Information        (TLV specific)
}
【００３８】
REG-REQのTLV Encoded Informationには、以下の情報が含まれる。
・中継局ＲＳのＭＡＣアドレス
・当該中継局ＲＳが接続する基地局ＩＤ／親中継局ＩＤ
・Downlink Burst Profile（DIUC値：Burst Profile（変調方式やコードレートの情報）を表す値）
・Uplink Burst Profile（UIUC値：Burst Profile（変調方式やコードレートの情報）を表す値）
【００３９】
（Ｓ３０４）REG-REQを受信した基地局ＢＳは、TLV Encoded Informationの情報を含めたROUTE-NOTIFYを、ネットワーク制御管理装置ＮＣＭＳへ送信する。ネットワーク制御管理装置ＮＣＭＳは、DIUC及びUIUCから、基地局ＢＳ−中継局ＲＳ１間のネットワーク状態情報を登録する。
【００４０】
（Ｓ３０５）これに対し、ネットワーク制御管理装置ＮＣＭＳは、基地局ＢＳへROUTE-ACKを返信する。ROUTE-ACKには、以下の情報が含まれる。
・ホップ数
・ホップ毎のDIUC値
・ホップ毎のUIUC値
・中継局ＲＳに割り当てたセルＩＤ
【００４１】
（Ｓ３０６）ROUTE-ACKを受信した基地局ＢＳは、REG-RSPを中継局ＲＳ１へ返信する。REG-RSPは、以下の情報を有する。
REG-RSP_Message_Format() {
Management Message Type=6      (8 bits)
Response
TLV Encoded Information        (TLV specific)
}
TLV Encoded Informationは、ROUTE-ACKによって受信した情報を含む。ここで、中継局ＲＳ１には、ROUTE-ACKに含まれるセルＩＤが割り当てられ、これにより、移動局ＭＳは、基地局ＢＳと中継局ＲＳ１とを各セルＩＤにより識別することが可能となる。
【００４２】
（Ｓ３１１）次に、基地局ＢＳは、中継局ＲＳ１配下の移動局ＭＳ（又は子中継局）に対して、定期的に、下り回線情報(DL-MAP、DCD)及び上り回線情報(UL-MAP、UCD)を送信する。また、中継局ＲＳ１は、基地局ＢＳから受信した回線情報を、ブロードキャストし、中継局ＲＳ２へ送信する。この回線情報には、ネットワークエントリにて得た基地局ＢＳ−中継局ＲＳ１間の回線情報を含む。具体的には、DCDに、Downlink Burst Profileに対応したDIUCを含め、UCDに、Uplink Burst Profileに対応したUIUCを含める。
【００４３】
DCDの# of hopsは、中継回線（基地局又は親中継局−中継局間）のホップ数を表す。DIUCs of relay linksは、基地局ＢＳから見てホップ順に表された、当該中継回線のDIUCを表す。図２によれば、中継局ＲＳ１がブロードキャストするDCDは、# of hops＝１及びDIUC#1（4bits）を含む。
【００４４】
UCDの# of hopsは、中継回線（基地局又は親中継局−中継局間）のホップ数を表す。UIUCs of relay linksは、基地局ＢＳから見てホップ順に表された、当該中継回線のUIUCを表す。図２によれば、中継局ＲＳ１がブロードキャストするUCDは、# of hops＝１及びUIUC#1（4bits）を含む。UIUC#1は、基地局ＢＳ−中継局ＲＳ間の中継回線Burst Profile：ＲA[bits/symbol]を表す。
【００４５】
（Ｓ３１２）中継局ＲＳ２は、Ｓ３０１及びＳ３１１によって、経路１（基地局ＢＳ−中継局ＲＳ２）と、経路２（基地局ＢＳ−中継局ＲＳ１−中継局ＲＳ２）との双方の上下回線情報を取得することができる。中継局ＲＳ２は、経路１の中継回線と経路２の中継回線とにおける想定Burst Profileを算出し、変調速度が最大となる接続先を選択する。
【００４６】
（経路１）想定Burst Profile＝ＲB[bits/symbol]
（経路２）経路２の中継回線Ａ（基地局ＢＳ−中継局ＲＳ１）及び中継回線Ｃ（中継局ＲＳ１−中継局ＲＳ２）が、同時に利用可能である場合、変調速度の低い中継回線がボトルネックになる。例えば、中継回線Ａの周波数と中継回線Ｂの周波数とが異なる場合、両中継回線は同時に利用可能となる。この場合、想定Burst Profileは、以下のようになる。
想定Burst Profile＝ｍｉｎ（ＲA，ＲC）
ＲA[bits/symbol]：基地局ＢＳ−中継局ＲＳ１間の変調速度
ＲB[bits/symbol]：基地局ＢＳ−中継局ＲＳ２間の変調速度
ＲC[bits/symbol]：中継局ＲＳ１−中継局ＲＳ２間の変調速度
ｍｉｎ：小さい方の値をとる
【００４７】
また、経路２の中継回線Ａ及び中継回線Ｃが、同時に利用可能でない場合がある。例えば、中継回線Ａの周波数と中継回線Ｂの周波数とが同じであって、時分割で利用される場合である。この場合、例えば中継回線Ａと中継回線Ｃが同じ変調方式であっても通信可能な時間は時分割で半分となるためスループットも半分となる。この場合、想定Burst Profileは、以下のようになる。
【数１】
2008066827.tif 000005
【００４８】
Ｓ３１３は、中継局ＲＳ２が、経路１を選択した場合であり、Ｓ３１４は、中継局ＲＳ２が、経路２を選択した場合である。
【００４９】
（Ｓ３１３）基地局ＢＳが、下り回線情報（DL-MAP、DCD）及び上り回線情報（UL-MAP、UCD）をブロードキャストする。これら回線情報を受信した中継局ＲＳ２は、基地局ＢＳへRNG-REQを送信し、それに対して基地局ＢＳからRNG-RSPを受信する。また、中継局ＲＳ２は、基地局ＢＳへSBC-REQを送信し、それに対して基地局ＢＳからSBC-RSPを受信する。次に、中継局ＲＳ２は、REG-REQを基地局ＢＳへ送信する。REG-REQを受信した基地局ＢＳは、TLV Encoded Informationの情報を含めたROUTE-NOTIFYを、ネットワーク制御管理装置ＮＣＭＳへ送信する。ネットワーク制御管理装置ＮＣＭＳは、DIUC及びUIUCから、基地局ＢＳ−中継局ＲＳ２間のネットワーク状態情報を登録する。これに対し、ネットワーク制御管理装置ＮＣＭＳは、基地局ＢＳへROUTE-ACKを返信する。ROUTE-ACKを受信した基地局ＢＳは、REG-RSPを中継局ＲＳ２へ返信する。
【００５０】
（Ｓ３１４）基地局ＢＳが、中継局ＲＳ１配下の移動局又は子中継局に対して、下り回線情報（DL-MAP、DCD）及び上り回線情報（UL-MAP、UCD）をブロードキャストする。中継局ＲＳ１は、更に、配下の移動局ＭＳ又は中継局ＲＳへこれら回線情報をブロードキャストする。これら回線情報を受信した中継局ＲＳ２は、中継局ＲＳ１へRNG-REQを送信し、それに対して中継局ＲＳ１からRNG-RSPを受信する。また、中継局ＲＳ２は、中継局ＲＳ１へSBC-REQを送信し、中継局ＲＳ１は、基地局ＢＳへSBC-NOTIFYを送信する。それに対して、基地局ＢＳは、中継局ＲＳ１へSBC-ACKを返信し、中継局ＲＳ１は、中継局ＲＳ２へSBC-RSPを返信する。次に、中継局ＲＳ２は、REG-REQを中継局ＲＳ１へ送信し、中継局ＲＳ１は、基地局ＢＳへREG-NOTIFYを送信する。REG-NOTIFYを受信した基地局ＢＳは、TLV
Encoded Informationの情報を含めたROUTE-NOTIFYを、ネットワーク制御管理装置ＮＣＭＳへ送信する。ネットワーク制御管理装置ＮＣＭＳは、DIUC及びUIUCから、基地局ＢＳ−中継局ＲＳ１−中継局ＲＳ２間のネットワーク状態情報を登録する。これに対し、ネットワーク制御管理装置ＮＣＭＳは、基地局ＢＳへROUTE-ACKを返信する。ROUTE-ACKを受信した基地局ＢＳは、REG-ACKを中継局ＲＳ１へ返信し、中継局ＲＳ１は、REG-RSPを中継局ＲＳ２へ返信する。
【００５１】
図４は、本発明における中継局の機能構成図である。
【００５２】
図４によれば、中継局２は、無線通信インタフェース部２０と、ネットワークエントリ処理部２１と、中継回線情報送信部２２と、中継回線情報受信部２３と、接続先選択部２４と、経路情報蓄積部２５とを有する。これら機能部は、中継局に搭載されたコンピュータを機能させるプログラムを実行することによっても実現できる。
【００５３】
ネットワークエントリ処理部２１は、基地局ＢＳ（又は親中継局）に対して、ネットワークエントリをする。前述したＳ３０２、Ｓ３０３及びＳ３０６について、RNG-REQ/RSP、SBC-REQ/RSP及びREG-REQ/RSPを送受信する。ネットワークエントリ処理部２１は、接続先選択部２４によって選択された基地局ＢＳ（又は親中継局）に対して、ネットワークエントリをするように制御する。
【００５４】
中継回線情報送信部２２は、基地局（又は親中継局）−第１の中継局間の中継回線情報をブロードキャストする。前述したＳ３１１について、中継局ＲＳ１の処理をする。
【００５５】
中継回線情報受信部２３は、基地局及び／又は複数の第１の中継局から中継回線情報を受信する。前述したＳ３０１及びＳ３１１について、中継局ＲＳ２の処理をする。受信した回線情報は、経路情報蓄積部２５へ通知する。
【００５６】
接続先選択部２４は、変調速度が最大となる中継回線情報を有する基地局又は第１の中継局を決定する。前述したＳ３１２について、中継局ＲＳ２の処理をする。
【００５７】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００５８】
【図１】従来技術におけるシステム構成図である。
【図２】本発明におけるシステム構成図である。
【図３】本発明におけるシーケンス図である。
【図４】本発明における中継局の機能構成図である。
【符号の説明】
【００５９】
１  基地局
２  中継局
２０  無線通信インタフェース部
２１  ネットワークエントリ処理部
２２  中継回線情報送信部
２３  中継回線情報受信部
２４  接続先選択部
２５  経路情報蓄積部
３  移動局
【図１】
2008066827.tif 000006
【図２】
2008066827.tif 000007
【図３】
2008066827.tif 000008
【図４】
2008066827.tif 000009